(57)【要約】【課題】動作状態に基づいて活性酸素種の生成量を動的に変更することができる電解水散布装置を提供すること。【解決手段】電解水散布装置Ｄは、電解水生成部５と、散布部１９と、制御部３０とを備える。制御部３０は、電解水生成部５を制御するものであり、生成制御部３４と、生成条件決定部３５とを備える。生成制御部３４は、電解部１７への電気分解のための通電を行う通電時間とその通電停止後の非通電時間とを一周期とし、その一周期を複数回繰り返すことで電解水の生成を制御する。生成条件決定部３５は、投入信号受信部による投入信号の受信に基づいて、通電時間、非通電時間、及び通電時間における電力量、通電時間、非通電時間を決定する。【選択図】図５
2019030396.tif 000002
【特許請求の範囲】
【請求項１】
電解水を生成する電解水生成部と前記電解水生成部が生成した電解水を吸気口から吸い込んだ空気に接触させて吹出口から散布する散布部と前記電解水生成部を制御する制御部を備えた電解水散布装置であって、
前記制御部は、
前記電解水生成部部への電気分解のための通電時間と通電停止後の非通電時間とを一周期とし当該一周期を複数回繰り返すことで前記電解水の生成を制御する生成制御部と、
前記電解水の生成時に必要な電解促進錠剤を投入した旨を示す投入信号を受信する投入信号受信部と、
前記投入信号受信部による前記投入信号の受信に基づいて前記通電時間、前記非通電時間、及び通電時間における電力量を決定する生成条件決定部と、を備え、
前記生成制御部は、
前記電解水生成部に対して前記生成条件決定部が決定した前記通電時間、前記非通電時間、及び前記電力量で電解水を生成させる電解水散布装置。
【請求項２】
前記制御部は、
前記投入信号受信部による前記投入信号の受信を起点として前記生成制御部により繰り返された前記周期の回数をカウントする周期カウント部を備え、
前記生成条件決定部は、
前記周期カウント部によるカウントの増加に基づいて次回に実行される周期を構成する前記通電時間、前記非通電時間、及び前記電力量のうち少なくとも１つを変更し、
前記生成制御部は、
前記電解水生成部に対して前記生成条件決定部が変更した前記通電時間、前記非通電時間、及び前記電力量で電解水を生成させる請求項１記載の電解水散布装置。
【請求項３】
前記生成条件決定部による周期の構成は、
前記周期カウント部によるカウントの増加に応じて電解水の生成を減少させるように前記通電時間、前記非通電時間、及び前記電力量のうち少なくとも１つを変更する請求項２に記載の電解水散布装置。
【請求項４】
前記生成条件決定部は、
前記投入信号受信部による前記投入信号の受信に基づいて一周期あたりの電解水生成量が多い初期通電モードとして前記通電時間、前記非通電時間、及び前記電力量を決定し、
前記初期通電モードによる電解水の生成を前記投入信号受信部による前記投入信号の受信から複数回分繰り返し、
前記周期カウント部によるカウントが一定数に達した後には前記初期通電モードよりも一周期あたりの電解水生成量が少ない通常通電モードとして前記通電時間、前記非通電時間、及び前記電力量を決定する請求項３に記載の電解水散布装置。
【請求項５】
水を貯めるための貯水部と、
前記制御部からの投入指示信号に基づいて前記貯水部に前記電解促進錠剤を投入する電解促進錠剤投入部と、を備え、
前記投入信号受信部は、
前記電解促進錠剤投入部から前記投入信号を受信する請求項１から４のいずれかに記載の電解水散布装置。
【請求項６】
水を貯めるための貯水部と、
前記貯水部に前記電解促進錠剤を投入した旨を受け付ける電解促進錠剤投入受付部と、を備え、
前記投入信号受信部は、
前記電解促進錠剤投入受付部から前記投入信号を受信する請求項１から４のいずれかに記載の電解水散布装置。
【請求項７】
前記電解水生成部は、
水を貯めるための貯水部と、
前記貯水部内の水を電気分解して電解水を生成する電解部と、を備え、
前記散布部は、
前記貯水部内の電解水に浸漬させて保水し前記吸気口から流入した空気に接触するフィルター部と、
前記フィルター部に接触した空気を前記吹出口に導く送風部と、を備える請求項１から６のいずれかに記載の電解水散布装置。
【発明の詳細な説明】
【技術分野】
【０００１】
本発明は、電解水を生成して散布する電解水散布装置に関する。
【背景技術】
【０００２】
空気中の細菌、真菌、ウイルス、臭い等の除去を行うために、電気分解により活性酸素種を含む電解水を生成して散布する電解水散布装置が知られている。
【０００３】
ところで、電気分解により目標濃度の活性酸素種を生成する場合であっても、例えば新たな水を利用する場合と、既に活性酸素種を生成し消費した後の水を利用する場合とでは、既存の活性酸素種の濃度が異なる。このため、目標濃度の活性酸素種を生成するために、電極に通電する時間を調整する運転モードを有したものが知られていた（特許文献１参照）。
【先行技術文献】
【特許文献】
【０００４】
【特許文献１】特開２００７−２０２７５３号公報
【発明の概要】
【発明が解決しようとする課題】
【０００５】
しかしながら、特許文献１に記載された技術は、目標の活性酸素種の濃度になるまでに長い時間を要することがあった。つまり、新たな水を利用する場合には既存の活性酸素種の量が無に等しいため、目標濃度に達するまでには長時間必要であった。
【０００６】
本発明は、上記課題を解決する為になされたものであり、動作状態に基づいて活性酸素種の生成量を動的に変更する電解水散布装置を提供することを目的とする。
【課題を解決するための手段】
【０００７】
この目的を達成するために、本発明に係る電解水散布装置は、電解水を生成する電解水生成部と前記電解水生成部が生成した電解水を吸気口から吸い込んだ空気に接触させて吹出口から散布する散布部と前記電解水生成部を制御する制御部を備えた電解水散布装置であって、前記制御部は、前記電解部への電気分解のための通電時間と前記通電停止後の非通電時間とを一周期とし当該一周期を複数回繰り返すことで前記電解水の生成を制御する生成制御部と、前記電解水の生成時に必要な電解促進錠剤を投入した旨を示す投入信号を受信する投入信号受信部と、前記投入信号受信部による前記投入信号の受信に基づいて前記通電時間、前記非通電時間、及び通電時間における電力量を決定する生成条件決定部と、を備え、前記生成制御部は、前記電解水生成部に対して前記生成条件決定部が決定した前記通電時間、前記非通電時間、及び前記電力量で電解水を生成させるものである。
【発明の効果】
【０００８】
本発明の電解水散布装置によれば、動作状態に基づいて活性酸素種の生成量を動的に変更することができる。
【図面の簡単な説明】
【０００９】
【図１】本発明の第１実施形態に係る電解水散布装置の斜視図である。
【図２】同電解水散布装置の斜視図である。
【図３】同電解水散布装置の断面図である。
【図４】同電解水散布装置の断面図である。
【図５】同電解水散布装置の機能ブロック図である。
【図６】同電解水散布装置のカウント数−電力量、通電時間、非通電時間テーブルを示す模式図である。
【図７】同電解水散布装置の電解水生成・散布処理を示すフローチャートである。
【発明を実施するための形態】
【００１０】
以下、本発明を実施するための形態について添付図面を参照して説明する。
【００１１】
（第１実施形態）
図１〜７を参照して、本発明の第１実施形態である電解水散布装置Ｄについて説明する。図１は、電解水散布装置Ｄの斜視図であり、電解水散布装置Ｄを前面側から見た図である。図２は、電解水散布装置Ｄの斜視図であり、図１のパネル３を開いた状態で電解水散布装置Ｄを前面側から見た図である。
【００１２】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００１３】
本体ケース１の前面側から見て、右側の側面（本体ケース１の一方側の側面）である第１の本体側面１Ａには、開閉可能なパネル３が設けられている。本体ケース１の一方側の側面の吸気口２は、パネル３に設けられている。パネル３を開くと、縦長四角形状の開口４が現れる。開口４から、後述する貯水部１４、タンク部材１５、錠剤投入ケース１８ａ等が取り出し可能に構成されている。
【００１４】
図３は、電解水散布装置Ｄの正面視中央部分を縦方向に切った断面図であり、電解水散布装置Ｄを右側から見た図である。図４は、電解水散布装置Ｄの正面視右側を縦方向に切った断面図であり、電解水散布装置Ｄにおける右側から見た図である。
【００１５】
図２、図３、図４に示すように、本体ケース１内には、電解水生成部５と、タンク部材１５と、散布部１９と、風路８とを備えている。
【００１６】
電解水生成部５は、貯水部１４と、電解部１７と、電解促進錠剤投入部１８と、投入制御部４１（図５参照）とを備えている。
【００１７】
貯水部１４は、天面を開口した箱形状しており、水を貯水できる構造となっている。貯水部１４は、本体ケース１の下部に配置され、本体ケース１から水平方向にスライドして着脱可能となっており、開口４から取り出すことができる。貯水部１４は、タンク部材１５から供給される水を貯水する。
【００１８】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含む。
【００１９】
電解部１７は、電極部材への電気分解するための通電を行う通電時間と、その通電停止後の時間、つまり通電を行っていない時間である非通電時間を一周期として、その一周期を複数回繰り返すことで、電解水を生成する。非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。詳細は後述するが、電解水散布装置Ｄは、この通電時間と、非通電時間と、通電時間における電力量とを、投入信号の受信に基づいて決定する。
【００２０】
電解促進錠剤投入部１８は、錠剤投入ケース１８ａと、錠剤投入ケース１８ａ内に設けた錠剤投入部材（図示せず）と、錠剤投入ケース１８ａの上部に着脱自在に設けられた錠剤投入カバー１８ｂとを備えている。錠剤投入ケース１８ａは、開口４から取り出し可能に構成される。ユーザは、取り出した錠剤投入ケース１８ａから錠剤投入カバー１８ｂを外すことで、ユーザが錠剤投入ケース１８ａ内に電解促進錠剤を装填できる。
【００２１】
錠剤投入部材が回動すると、電解促進錠剤が錠剤投入ケース１８ａの底面の落下開口（図示せず）より貯水部１４に落下する。この電解促進錠剤が貯水部１４内の水に溶け込むことにより、貯水部１４の水が塩化物イオンを含む水となる。なお、電解促進錠剤の一例は、塩化ナトリウムである。電解促進錠剤投入部１８は、電解促進錠剤が投入されたことを検知するセンサを備えており、投入された旨を信号として発信する。
【００２２】
投入制御部４１（図５）は、例えば錠剤投入ケース１８ａの底面の落下開口付近に設けられ、電解促進錠剤投入部１８による電解促進錠剤の投入を制御する。後述する制御部３０より電解促進錠剤の投入指示があると、投入制御部４１は電解促進錠剤投入部１８に設けられた錠剤投入部材の回動を開始する。そして、投入制御部４１は、錠剤投入ケース１８ａから貯水部１４に落下された電解促進錠剤の有無を判断し、錠剤投入ケース１８ａから貯水部１４に電解促進錠剤が落下したと判断すると、錠剤投入部材の回動を停止する。
【００２３】
タンク部材１５は、本体ケース１内部の正面視右側の側面に設置され、貯水部１４から着脱可能な構造となっており、開口４から取り出すことができる。タンク部材１５は、貯水部１４の底面に設けられたタンク保持部１４ａに装着されている。タンク部材１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００２４】
具体的には、タンク１５ａの開口を下向きにして、タンク部材１５を貯水部１４のタンク保持部１４ａに取り付けると、タンク保持部１４ａによって開閉部が開く。つまり、タンク部材１５に水を入れてタンク保持部１４ａに取り付けると、開閉部が開いて貯水部１４に給水され、貯水部１４内に水が溜まる。貯水部１４内の水位が上昇して蓋１５ｂのところまで到達するとタンク部材１５の開口が水封されるので給水が停止し、タンク部材１５の内部には水が残り、貯水部１４内の水位が下がった場合に都度、タンク１５ａ内部の水が貯水部１４に給水される。即ち、貯水部１４内の水位は一定に保たれる。
【００２５】
なお、電解水散布装置Ｄは、タンク部材１５を有していなくてもよい。この場合は、電解水散布装置Ｄに対して、水を供給するラインを水道水よりひき、貯水部１４内の水位が下がった場合に、貯水部１４内の水位が所定位置に上昇するまで、水道水を供給するようにしてもよい。
【００２６】
散布部１９は、送風部７と、フィルター部１６とを備える。
【００２７】
送風部７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００２８】
ファン部１０は、シロッコファンであり、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。
【００２９】
送風部７の風量は、ユーザが決定して例えば操作パネルから入力する。入力された風量は、風量設定部２２に設定され、これに基づいて例えば制御部３０が送風部７を介してモータ部９の回転量を制御する。
【００３０】
フィルター部１６は、貯水部１４に貯水された電解水と、送風部７によって本体ケース１内に流入した室内空気とを接触させる部材である。フィルター部１６は、円筒状に構成され、円周部分に空気が流通可能な孔を備えたフィルター１６ａを配置し、その一端が貯水部１４の水に浸漬され、保水されるように、フィルター１６ａの中心軸を回転中心として貯水部１４に回転自在に内蔵されている。そして、フィルター部１６は、駆動部（図示しない）により回転され、電解水と室内空気を連続的に接触させる構造となっている。
【００３１】
風路８は、吸気口２と吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、フィルター１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００３２】
図５は、電解水散布装置Ｄの機能をブロックで示した機能ブロック図である。電解水散布装置Ｄは、電解水生成部５及び散布部１９等、電解水散布装置Ｄ全体を制御する制御部３０を備えている。
【００３３】
制御部３０は、例えば、本体ケース１（図１参照）の天面に設けられた操作パネルの裏側に設けられている。制御部３０は、風量決定部３１、投入信号受信部２１、周期カウント部２３、生成制御部３４、生成条件決定部３５、カウント数−生成条件テーブル３６を備えている。
【００３４】
風量決定部３１は、ユーザの入力により風量設定部２２に設定された風量に基づいて、送風部７の風量を決定する。具体的には、風量決定部３１は、風量設定部２２に記憶された風量を取得し、これに基づいてモータ部９の回転数を決定して送風部７に送信する。
【００３５】
投入信号受信部２１は、電解促進錠剤投入部１８が電解促進錠剤を投入した旨を、投入信号を介して取得する。また別の方法として、投入信号は、電解促進錠剤投入受付部４２から発信してもよい。例えば、電解促進錠剤投入部１８を備えず、ユーザが電解促進錠剤を手動で投入する場合には、電解促進錠剤投入受付部４２を備える。ユーザが電解促進錠剤を投入した旨を操作部（図示せず）のスイッチを介して電解促進錠剤投入受付部４２に入力することで、電解促進剤投入受付部４２が投入信号受信部２１に対して投入信号を送信する。
【００３６】
周期カウント部２３は、通電時間と非通電時間とを一周期として、その周期が何回繰り返されたかカウントする。また、電解促進錠剤の投入命令に基づいて、カウントをリセットするが詳細は後述する。
【００３７】
生成制御部３４は、電解部１７における電解水の生成を制御する。具体的には、電解部１７の電極部材への電気分解するための通電を行う通電時間及び通電時間における電力量と、通電停止後の非通電時間を一周期として、その一周期を繰り返すことで、電解部１７において電解水を生成させる。
【００３８】
生成条件決定部３５は、生成制御部３４が電解部１７において電解水を生成する場合の生成条件を、投入信号受信部２１が受信した投入信号に基づき、これを起点として決定する。ここで決定される生成条件は、電解水を生成する次回の一周期における通電時間及び非通電時間と、その通電時間における電力量とで構成される。
【００３９】
カウント数−生成条件テーブル３６は、生成条件決定部３５により参照され、具体的には、周期のカウント数（回数）と生成条件とを対応付けて規定したテーブルである。
【００４０】
ここで、図６に、カウント数−生成条件テーブル３６を例示する。なお、図６（ａ）（ｂ）は、カウント数−生成条件テーブル３６の一例を模式的に示した模式図である。
【００４１】
図６に示す例では、決定すべき電力量として、電極部材に流す電流（電極電流）の大きさを規定している。この場合、生成条件決定部３５は、カウント数に関連付けられた電極電流と、通電時間と、非通電時間とをカウント数−生成条件３６より決定し、電極部材に流れる電流がその決定された電流となるように電極部材に印加する電圧を制御すれば、そのカウント数に対して電力量が定まる。通電時間と非通電時間は、電極電流を流す時間と、流さない（止める）時間とで制御される。
【００４２】
なお、カウント数−生成条件テーブル３６において、カウント数に対して決定すべき電力量として、電極部材に印加する電圧（電極電圧）の大きさを記憶してもよい。この場合、生成条件決定部３５は、カウント数に関連付けられた電圧をカウント数−生成条件３６より決定し、電極部材に印加される電圧がその決定された電圧となるように電極部材に流す電流（電極電流）を制御すれば、そのカウント数に対して電力量が定まる。また、カウント数−生成条件３６において、カウント数に対して決定すべき電力量そのものを記憶してもよい。この場合、カウント数に関連付けられた電力量をカウント数−生成条件３６より決定し、その決定された電力量となるように、電極部材に印加する電圧と電極部材に流す電流とを制御すればよい。なお、本実施の形態では、電流、電圧、電力量全てを含めて電力量として定義している。
【００４３】
また、図６（ｂ）に示したカウント数−生成条件テーブル３６において、カウント数１〜３については、活性酸素種を多く生成させる電力量、通電時間、非通電時間を規定しており、この規定を初期通電モードとする。そして、カウント数４以降については、初期通電モードよりも活性酸素種の生成量が少ない通常通電モードとする。
【００４４】
次に、制御部３０にて実行される電解水生成・散布処理のフローチャートを図７に示す。
【００４５】
このフローチャートは、ユーザにより貯水部１４が新たな水で満たされた時点からの処理を示す。貯水部１４が水で満たされると、制御部３０は、センサ等を介してこの旨を検知し、電解促進錠剤投入部１８に電解促進錠剤の投入を指示する。
【００４６】
電解促進錠剤投入部１８は、制御部３０からの指示を受けて、電解促進剤を貯水部１４へ投入し、この旨を確認（検知）すると、貯水部１４へ電解促進錠剤が投入された旨を示す投入信号を投入信号受信部２１に送信する。
【００４７】
投入信号受信部２１が投入信号を受信する（Ｓ０）と、周期カウント部２３は周期カウント数をリセットする（Ｓ１）。
【００４８】
その後、周期カウント部２３は、周期カウント数を＋１加算する（Ｓ２）。
【００４９】
周期カウント数が加算されると、生成条件決定部３５は、周期カウント数に応じた生成条件を決定する（Ｓ３）。具体的には、生成条件決定部３５は、周期カウント部２３から加算された後の周期カウント数を取得する。また、生成条件決定部３５は、カウント数−生成条件テーブル３６を参照して、取得した周期カウント数に一致する電極電流（電力量）、通電時間、非通電時間を取得する。このカウント数−生成条件テーブル３６から取得した電極電流（電力量）、通電時間、非通電時間が生成条件である。
【００５０】
なお、貯水部１４の水が満たされた時点、つまり周期カウント数がリセットされて小さい値では、活性酸素種がほとんど存在しない状態である。よって、生成条件において、電力量や通電時間を多く設定する（例えば、図６（ｂ）に示す初期通電モードを参照）。これにより、活性酸素種の生成量を増加させ、散布開始までの時間を短縮し、または散布時の活性酸素種が不足した状態を早期に解消する。
【００５１】
また、周期カウント数が増加すると、散布により減少はしているものの、新しい水に比較して活性酸素種の濃度が濃いと判断できるため、周期カウント数が少ない時と比べ電力量や通電時間を減少させる条件とする（例えば、図６（ｂ）に示す通常通電モードを参照）。これにより、貯水部１４内の水の電解促進錠剤濃度を適正に保つことができ、電解水散布装置Ｄの性能を一定に保つことが可能になる。なお、一定周期の経過後は、貯水部１４内の水の電解促進錠剤濃度が低下するため、活性酸素種の生成効率が下がることが見込まれる。よって、例えば周期カウント数が閾値Ｘに到達するまでのタイミングで、周期カウント数の増加に応じて順次低下させている生成条件を、活性酸素種の生成が再度増加するようにカウント数−生成条件テーブル３６を設定しても良い。
【００５２】
電解部１７は、決定された生成条件（電力量、通電時間、非通電時間）で通電されることで電解水を生成し、生成された電解水に含まれる活性酸素種は、散布部１９により散布される（Ｓ４）。
【００５３】
電解部１７は、決定された生成条件で電解水を生成し、当該生成条件、つまり１周期が終了（Ｓ５Ｙｅｓ）したら、制御部３０は、周期カウント部２３に記憶された周期カウント数が閾値Ｘ以上であるかどうか比較する（Ｓ６）。ここで閾値Ｘは、電解促進錠剤の濃度が低下するとされる周期数をさしており、言い換えると新たな電解促進錠剤の投入が必要とされる周期数を意味する。ただし、貯水部１４の容量や電解促進錠剤の大きさや成分によって変動するためここでは具体的な数値を指定しない。
【００５４】
周期カウント数が閾値Ｘより小さい場合（Ｓ６Ｎｏ）は、Ｓ２のステップにもどり、以降この動作を繰り返す。この際、周期カウント数は加算されるため、カウント数−生成条件テーブル３６に基づいて、生成条件決定部３５により、次回に実行される周期を構成する生成条件が変更される。また、上述のように、周期カウント数が増加すると、散布により減少はしているものの、新しい水に比較して活性酸素種の濃度が濃いと判断され、電解水の生成を減少させるように生成条件を変更している。
【００５５】
周期カウント数が閾値Ｘ以上の場合（Ｓ６Ｙｅｓ）は、貯水部１４内の水の電解促進錠剤濃度が低下していると判断し、制御部３０は電解促進錠剤投入部１８に電解促進錠剤の投入を指令する（Ｓ７）。
【００５６】
その後、Ｓ０のステップにもどり以降この動作を繰り返す。特に電解促進錠剤が投入されるということは、貯水部１４内の水の電解促進錠剤濃度が低下していることを意味するため、新たな水で満たされた時と同様、周期カウント数をリセットすることで、生成条件において、電力量や通電時間を多く設定する。
【００５７】
以上のように、動作状態に基づいて電解部１７の電力量、通電時間、非通電時間を変更するため、活性酸素種の生成量を動的に変更することができる。
【００５８】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、上記各実施形態で挙げた数値は一例であり、他の数値を採用することは当然可能である。
【産業上の利用可能性】
【００５９】
本発明に係る電解水散布装置は、空気中の細菌、真菌、ウイルス、臭い等の除去（不活性化を含む）を行う電解水散布装置として有用である。
【符号の説明】
【００６０】
Ｄ    電解水散布装置
２    吸気口
５    電解水生成部
６    吹出口
７    送風部
１４    貯水部
１６    フィルター部
１７    電解部
１８    電解促進錠剤投入部
１９    散布部
２１    投入信号受信部
２２    風量設定部
２３    周期カウント部
３０    制御部
３１    風量決定部
３４    生成制御部
３５    生成条件決定部
４１    投入制御部
【図１】
2019030396.tif 000003
【図２】
2019030396.tif 000004
【図３】
2019030396.tif 000005
【図４】
2019030396.tif 000006
【図５】
2019030396.tif 000007
【図６】
2019030396.tif 000008
【図７】
2019030396.tif 000009